(57)【要約】【課題】製造作業及び使用時においてより安全に取り扱うことができると共に、燃焼時に有害物質を放出しない着火剤を使用した、環境に対する負荷の少ない発炎筒を提供する。【解決手段】着火剤、伝火剤及び発炎剤からなる発炎筒において、着火剤が硫黄原子を有する物質を含有しないことを特徴とする発炎筒。【選択図】なし【特許請求の範囲】
【請求項１】
着火剤、伝火剤及び発炎剤からなる発炎筒において、着火剤が硫黄原子を有する物質を含有せず、酸素供給剤として塩素酸カリウムを４５〜５５重量％、燃焼調節剤としてガラス粉を１０〜２０重量％含有することを特徴とする発炎筒。
【請求項２】
着火剤の使用量が伝火剤に対して１〜２０重量％である、請求項１に記載の発炎筒。
【発明の詳細な説明】
【技術分野】
【０００１】
本発明は、自動車道、鉄道での事故処理、船舶の海難事故、山岳での遭難事故等で使用される発炎筒に関する。特に、着火剤が硫黄を含有しないことを特徴とし、製造作業及び使用時においてより安全に取り扱うことができると共に、環境面に配慮した発炎筒に関する。
【背景技術】
【０００２】
発炎筒に用いられる薬剤は、一般的に着火剤、伝火剤及び発炎剤から成り、先ず、着火剤が発炎筒蓋に貼付の擦付薬との摩擦により着火し、伝火剤に燃焼伝播する。次いで、伝火剤の燃焼が発炎剤に伝播し、発炎剤の燃焼により赤色炎が発生する。
【０００３】
上記の通り、発炎筒の着火方法は、燐寸の着火方法、すなわち頭薬と擦付薬との摩擦によるものと同様であることから、着火剤は、燐寸の頭薬と同様に、酸素供給剤として塩素酸カリウム、燃焼剤として硫黄又は硫黄化合物、ロジン及び膠を含有することが知られている（特許文献１）。
【０００４】
しかしながら、硫黄は融点が低く、発火過程を促進する反応開始剤としての役割を有することから、酸化性物質、特に塩素酸塩類との混合は危険であり、製造作業及び使用時における安全性の確保が課題となる。
【０００５】
また硫黄は、燃焼時に二酸化硫黄を発生する。二酸化硫黄は、呼吸器を刺激し、比較的低濃度においても、咳、気管支喘息、気管支炎等の障害を引き起こす可能性があり、更には、大気中の水や酸素と反応して亜硫酸や硫酸となり、酸性雨の原因となることも考えられる。
【０００６】
発炎筒は、緊急時に使用されるため、一度に大量の本数を燃焼させる頻度は少ないと思われるが、消費期限を超過した場合には、一度に大量の製品を焼却処分するため、上記のような人体への影響、環境問題等の課題が生じる。
【先行技術文献】
【特許文献】
【０００７】
【特許文献１】特開平６−３０６３７８号公報
【発明の概要】
【発明が解決しようとする課題】
【０００８】
本発明の目的は、従来の着火剤と同等の着火性が得られ、製造作業及び使用時における安全性に優れると共に、環境面への影響を低減することが可能な着火剤を使用した発炎筒を提供することにある。
【課題を解決するための手段】
【０００９】
本発明者らは、安全性の確保及び環境への貢献という観点から鋭意検討を重ねた結果、着火剤全体に対して塩素酸カリウムの含有量を４５〜５５重量％、ガラス粉の含有量を１０〜２０重量％とすることにより、硫黄及び硫黄化合物を含有しない着火剤とすることができ、上記課題を解決し得ることを見出し、本発明を完成するに至った。
【００１０】
即ち、本発明の要旨は、
（１）着火剤、伝火剤及び発炎剤からなる発炎筒において、着火剤が硫黄原子を有する物質を含有せず、酸素供給剤として塩素酸カリウムを４５〜５５重量％、燃焼調節剤としてガラス粉を１０〜２０重量％含有することを特徴とする発炎筒、
（２）着火剤の使用量が伝火剤に対して１〜２０重量％である、（１）に記載の発炎筒、
に存する。
【発明の効果】
【００１１】
本発明により、発炎筒を着火させる際に、従来と同等の着火性を維持しながらも、環境に悪影響を与える二酸化硫黄の排出を抑制することが可能となる。
【発明を実施するための形態】
【００１２】
以下、本発明の発炎筒について詳細に説明する。
【００１３】
本発明は、製造作業及び使用時の安全性並びに環境に配慮した発炎筒に関する。
【００１４】
本発明の発炎筒は、着火剤、伝火剤及び発炎剤から成り、着火剤中に、従来使用されている硫黄及び硫黄化合物を含有しないため、安全性が高く、人体及び環境に対する負荷が抑制されるという利点がある。
【００１５】
（着火剤）
本発明においては、着火剤全体に対して塩素酸カリウムの含有量を４５〜５５重量％、ガラス粉の含有量を１０〜２０重量％とすることにより、硫黄及び硫黄化合物を含有しない着火剤とすることができる。
【００１６】
本発明において、着火剤の使用量は、伝火剤に対して１〜２０重量％であることが好ましく、４〜１５重量％であることが更に好ましい。着火剤は、酸素供給剤及び燃焼剤を含有する。
【００１７】
本発明において、着火剤中の酸素供給剤としては、塩素酸カリウムを使用することが好ましい。酸素供給剤は、着火剤全体に対して４５〜６０重量％の範囲で含有されることが好ましい。
【００１８】
本発明において、着火剤中の燃焼剤としては、通常、ロジン、膠等が使用される。燃焼剤は、着火剤全体に対して１０〜３０重量％の範囲で含有されることが好ましい。
【００１９】
本発明の着火剤は、燃焼調節剤を含有することが好ましく、ガラス粉、珪藻土、雲母、陶土等が単独又は組み合わせて使用される。燃焼調節剤は、着火剤全体に対して２０〜４０重量％の範囲で含有されることが好ましい。その他、必要に応じて、増粘剤、着色剤等が使用される。
【００２０】
本発明において使用される着火剤は、上記各成分を所定の割合で温水中に順次投入、攪拌混和、成形及び乾燥することによって調製することができる。
【００２１】
（伝火剤）
本発明の伝火剤は、パラフィンワックス、ポリエチレン等の可燃剤兼バインダー、マグネシウム粉及びアルミニウム粉等の発熱剤、二酸化マンガン、過酸化バリウム、硝酸ストロンチウム等の酸素供給剤を含有する。
【００２２】
（発炎剤）
本発明の発炎剤は、硝酸グアニジン、パラフィンワックス、ポリエチレン、ポリプロピレン、ポリプロピレングリコール、不飽和ポリエステル樹脂等の可燃剤及び可燃剤兼バインダー、マグネシウム粉及びアルミニウム粉等の発熱剤、並びに硝酸ストロンチウム、炭酸ストロンチウム、過酸化ストロンチウム、炭酸リチウム、炭酸カルシウム、硝酸カリウム等の発色剤及び酸素供給剤を含有する。
【実施例】
【００２３】
本発明を、実施例を挙げてさらに詳細に説明するが、本発明はこれらの実施例のみによって限定されるものではない。以下の実施例において、％は重量％を示す。
【００２４】
（実施例）
表１に示した割合で各成分を配合して着火剤を調製し、得られた着火剤０．２ｇを伝火剤（パラフィンワックス１５％、マグネシウム粉１５％、二酸化マンガン５０％、硝酸ストロンチウム２０％）２ｇ及び発炎剤（硝酸グアニジン１５％、マグネシウム粉８％、硝酸ストロンチウム５７％及びポリエチレン２０％）８０ｇと共に内径２０ｍｍの紙筒に充填し、５０℃で硬化させて発炎筒を作製した。
【００２５】
（比較例）
表１に示した割合で各成分を配合して着火剤を調製し、実施例と同様にして発炎筒を作製した。
【００２６】
実施例及び比較例の着火剤について、火薬学会規格ＥＳ−２１（１）及びＥＳ−２２にそれぞれ規定された落つい感度試験及び摩擦感度試験による危険性評価を行った。また、実施例及び比較例の発炎筒について、着火性及び臭気に関する評価を行った。結果を表１に示す。
【００２７】
【表１】
2013166681.tif 000002
【００２８】
表１の結果から明らかなように、硫黄を含有していない実施例の着火剤は、硫黄を含有している比較例の着火剤よりも、外部エネルギーに対する感度が低く、取り扱い上の危険性が低減していた。また、実施例の発炎筒は、従来の着火剤を使用した比較例の発炎筒と同様に良好な着火性を示すと共に、硫黄酸化物に特有の刺激臭が認められないという利点を有していた。